(57)【要約】【課題】本発明は、水難事故により漂流している状態において、身体の安全性及び安定性が高く、かつ、快適な状態を維持できる水面浮上用具を提供することを目的とする。【解決手段】本発明に係る水面浮上用具は、身体の脇部両側にそれぞれ装着する脇部空気収納袋Ａ，Ａ’を備え、当該脇部空気収納袋Ａ，Ａ’は、空気の注入が可能な構造であり、当該脇部空気収納袋Ａ，Ａ’は、身体の背面側から左右両側を経て正面側に至る脇部連結具Ｃ１，Ｃ２を備え、当該脇部連結具Ｃ１，Ｃ２は、長さ調節可能であって、身体の正面側において連結及び分離が可能であることを特徴とする。【選択図】  図８
2019199142.tif 000002
【特許請求の範囲】
【請求項１】
身体の脇部両側にそれぞれ装着する脇部空気収納袋を備え、
当該脇部空気収納袋は、空気の注入が可能な構造であり、
当該脇部空気収納袋は、身体の背面側から左右両側を経て正面側に至る脇部連結具を備え、
当該脇部連結具は、長さ調節可能であって、身体の正面側において連結及び分離が可能である
ことを特徴とする水面浮上用具。
【請求項２】
前記脇部空気収納袋は、これを覆い包む脇部空気収納袋用カバーを備え、
当該脇部空気収納袋用カバーに脇部連結具が備えられている
ことを特徴とする請求項１に記載の水面浮上用具。
【請求項３】
前記脇部空気収納袋を装着した状態で身体を覆うことができるジャケットを備えている
ことを特徴とする請求項１又は２に記載の水面浮上用具。
【請求項４】
身体の背中側の肩周りに装着する筒状の肩周り部空気収納袋を備え、
当該肩周り部空気収納袋は、空気の注入が可能な構造であり、
当該肩周り部空気収納袋は、筒状の一方の端部と他方の端部とを身体の正面側で連結する肩周り部空気収納袋連結具を備えている
ことを特徴とする請求項１〜３のいずれか１項に記載の水面浮上用具。
【請求項５】
前記肩周り部空気収納袋は、これを覆い包む肩周り部空気収納袋用カバーを備えている
ことを特徴とする請求項４に記載の水面浮上用具。
【請求項６】
前記ジャケットは、脇部空気収納袋と肩周り部空気収納袋とを装着した状態で身体を覆うことができる構造である
ことを特徴とする請求項４又は５に記載の水面浮上用具。
【請求項７】
前記ジャケットの背中側上部に肩周り部空気収納袋用カバーが連設されており、
肩周り部空気収納袋用カバー内に肩周り部空気収納袋が出し入れ可能に収納されている
ことを特徴とする請求項４に記載の水面浮上用具。
【請求項８】
身体における両方の下肢の膝裏の位置に装着する筒状の膝裏部空気収納袋を備え、
当該膝裏部空気収納袋は、空気の注入が可能な構造であり、
当該膝裏部空気収納袋は、身体における下肢の膝裏の位置に装着するための膝裏連結具を備えている
ことを特徴とする請求項１〜７のいずれか１項に記載の水面浮上用具。
【請求項９】
前記膝裏部空気収納袋は、これを覆い包む膝裏部空気収納袋用カバーを備え、
当該膝裏部空気収納袋用カバーに膝裏連結具が備えられている
ことを特徴とする請求項８に記載の水面浮上用具。
【請求項１０】
身体の股間の位置に装着する長尺で筒状の浮標用空気収納袋を備え、
当該浮標用空気収納袋は、空気の注入が可能な構造であり、
当該浮標用空気収納袋は、その筒状の長さ方向の一方の端部に身体に連結するための浮標用連結具を備えている
ことを特徴とする請求項３〜９のいずれか１項に記載の水面浮上用具。
【請求項１１】
前記浮標用空気収納袋は、これを覆い包む浮標用空気収納袋用カバーを備えている
ことを特徴とする請求項１０に記載の水面浮上用具。
【請求項１２】
前記浮標用空気袋は、その筒状の他方の端部に標識旗を備えている
ことを特徴とする請求項１０又は１１に記載の水面浮上用具。
【請求項１３】
前記浮標用空気袋は、その筒状の他方の端部に標識灯を備えている
ことを特徴とする請求項１０〜１２のいずれか１項に記載の水面浮上用具。
【請求項１４】
前記ジャケットは、筒状の胴部と、胴部上部の上部開口部と、胴部左右の腕挿通部と、胴部下部２箇所の下肢挿通部とを備え、
胴部には、その上下に、身体の正面側で着脱自在に連結できる長さ調節可能な上側ベルトと下側ベルトとを備え、
当該上部開口部周囲にはジャケット紐挿通孔が設けられていて、ジャケット紐挿通孔にはジャケット絞り紐が挿通されており、
当該上部開口部から身体の下肢を挿入して下部２箇所の下肢挿通部から左右の下肢をそれぞれ出し、左右の腕挿通部から身体の腕を出して着用し、上側ベルトと下側ベルトとの間に脇部空気収納袋を位置させて身体の正面側で上側ベルトと下側ベルトとを連結し、ジャケット絞り紐を着用者の首回りで引き絞ることによりジャケットが身体に装着固定される構造である
ことを特徴とする請求項３〜１３のいずれか１項に記載の水面浮上用具。
【請求項１５】
前記ジャケットは、その胴部の正面側に収納用開閉部が設けられている
ことを特徴とする請求項３〜１４のいずれか１項に記載の水面浮上用具。
【請求項１６】
周壁部と周壁部上端の上端閉塞部と周壁部下端の下端開口部とからなる袋状をなし、
当該下端開口部にはその周囲に頭巾紐挿通孔が設けられていて、頭巾紐挿通孔には頭巾絞り紐が挿通されており、
当該下端開口部に身体の頭部を入れて、身体の首回り部で頭巾絞り紐を引き絞ることにより、身体の頭部に装着される頭巾を備えている
ことを特徴とする請求項１〜１５のいずれか１項に記載の水面浮上用具。
【請求項１７】
両端に開口部を有する長尺筒状体よりなり、その一端に錘を取り付け、他端に身体への装着のための鮫よけ連結具を備えてなる鮫忌避具を備えている
ことを特徴とする請求項１〜１６のいずれか１項に記載の水面浮上用具。
【請求項１８】
前記ジャケットにおける下肢挿通部に着脱可能な延長股下部を備えている
ことを特徴とする請求項１４〜１７のいずれか１項に記載の水面浮上用具。
【請求項１９】
前記ジャケットにおける腕挿通部に着脱可能な延長袖部を備えている
ことを特徴とする請求項１４〜１８のいずれか１項に記載の水面浮上用具。
【発明の詳細な説明】
【技術分野】
【０００１】
本発明は水難事故に遭遇した際に身体を浮かせることができる水面浮上用具に関する。
【背景技術】
【０００２】
日本では、記憶に新しいところで、１９９５年の阪神・淡路大震災をもたらした兵庫県南部地震、２０１１年の東日本大震災をもたらした東北地方太平洋沖地震などの大地震が発生し、将来的には東海地震、東南海地震、南海地震などの大地震の発生が危惧されていることから、国や地方公共団体を始め、国民それぞれにおいても防災に対する意識が高まっている。特に沿岸地域においては、東日本大震災のように、地震により発生する大津波の被害を受ける危険性があり、東日本大震災の教訓を生かして津波に対する対策が種々検討されている。
【０００３】
ところで、実際に津波に巻き込まれてしまった場合には、海面に長時間浮いている状態を保つことは体力的に限界があり、かつ、数日間飲み水すらも得られない状態が続けば、運良く助かる者を除き、水泳に自信がある者でさえ含め大抵は水死し、しかも水没してしまうため水難者の発見が困難となり、行方不明者が多数にのぼるのが現実である。前記の東日本大震災において行方不明者が最も多い数字として震災直後の平成２３年４月５日時点で１５，３４７名と発表され、震災後から６年経過後の平成２９年３月１０日時点においても行方不明者は２，５５３名と発表されており、いつ収束するかがわからない状況である。
【０００４】
そこで本発明者は、「身体装着用流体収納袋」を発明の名称とする特許出願（特願２０１７−７６９６２）を行った。
【発明の概要】
【発明が解決しようとする課題】
【０００５】
さらに、本願発明者は鋭意研究を重ねて、上記特許出願における発明よりも、水難事故により漂流している状態において、身体の安全性及び安定性が高く、かつ、快適な状態を維持できる水面浮上用具を案出した。
【課題を解決するための手段】
【０００６】
本発明の請求項１に係る水面浮上用具は、身体の脇部両側にそれぞれ装着する脇部空気収納袋を備え、当該脇部空気収納袋は、空気の注入が可能な構造であり、当該脇部空気収納袋は、身体の背面側から左右両側を経て正面側に至る脇部連結具を備え、当該脇部連結具は、長さ調節可能であって、身体の正面側において連結及び分離が可能であることを特徴とする。
【０００７】
本発明の請求項２に係る水面浮上用具は、上記請求項１の構成に加えて、前記脇部空気収納袋は、これを覆い包む脇部空気収納袋用カバーを備え、当該脇部空気収納袋用カバーに脇部連結具が備えられていることを特徴とする。
【０００８】
本発明の請求項３に係る水面浮上用具は、上記請求項１又は２に記載の構成に加えて、前記脇部空気収納袋を装着した状態で身体を覆うことができるジャケットを備えていることを特徴とする。
【０００９】
本発明の請求項４に係る水面浮上用具は、上記請求項１〜３のいずれか１項に記載の構成に加えて、身体の背中側の肩周りに装着する筒状の肩周り部空気収納袋を備え、当該肩周り部空気収納袋は、空気の注入が可能な構造であり、当該肩周り部空気収納袋は、筒状の一方の端部と他方の端部とを身体の正面側で連結する肩周り部空気収納袋連結具を備えていることを特徴とする。
【００１０】
本発明の請求項５に係る水面浮上用具は、上記請求項４に記載の構成に加えて、前記肩周り部空気収納袋は、これを覆い包む肩周り部空気収納袋用カバーを備えていることを特徴とする。
【００１１】
本発明の請求項６に係る水面浮上用具は、上記請求項４又は５に記載の構成に加えて、前記ジャケットは、脇部空気収納袋と肩周り部空気収納袋とを装着した状態で身体を覆うことができる構造であることを特徴とする。
【００１２】
本発明の請求項７に係る水面浮上用具は、上記請求項４に記載の構成に加えて、前記ジャケットの背中側上部に肩周り部空気収納袋用カバーが連設されており、肩周り部空気収納袋用カバー内に肩周り部空気収納袋が出し入れ可能に収納されていることを特徴とする。
【００１３】
本発明の請求項８に係る水面浮上用具は、上記請求項１〜７のいずれか１項に記載の構成に加えて、身体における両方の下肢の膝裏の位置に装着する筒状の膝裏部空気収納袋を備え、当該膝裏部空気収納袋は、空気の注入が可能な構造であり、当該膝裏部空気収納袋は、身体における下肢の膝裏の位置に装着するための膝裏連結具を備えていることを特徴とする。
【００１４】
本発明の請求項９に係る水面浮上用具は、上記請求項８に記載の構成に加えて、前記膝裏部空気収納袋は、これを覆い包む膝裏部空気収納袋用カバーを備え、当該膝裏部空気収納袋用カバーに膝裏連結具が備えられていることを特徴とする。
【００１５】
本発明の請求項１０に係る水面浮上用具は、上記請求項３〜９のいずれか１項に記載の構成に加えて、身体の股間の位置に装着する長尺で筒状の浮標用空気収納袋を備え、当該浮標用空気収納袋は、空気の注入が可能な構造であり、当該浮標用空気収納袋は、その筒状の長さ方向の一方の端部に身体に連結するための浮標用連結具を備えていることを特徴とする。
【００１６】
本発明の請求項１１に係る水面浮上用具は、上記請求項１０に記載の構成に加えて、前記浮標用空気収納袋は、これを覆い包む浮標用空気収納袋用カバーを備えていることを特徴とする。
【００１７】
本発明の請求項１２に係る水面浮上用具は、上記請求項１０又は１１に記載の構成に加えて、前記浮標用空気袋は、その筒状の他方の端部に標識旗を備えていることを特徴とする。
【００１８】
本発明の請求項１３に係る水面浮上用具は、上記請求項１０〜１２のいずれか１項に記載の構成に加えて、前記浮標用空気袋は、その筒状の他方の端部に標識灯を備えていることを特徴とする。
【００１９】
本発明の請求項１４に係る水面浮上用具は、上記請求項３〜１３のいずれか１項に記載の構成に加えて、前記ジャケットは、筒状の胴部と、胴部上部の上部開口部と、胴部左右の腕挿通部と、胴部下部２箇所の下肢挿通部とを備え、胴部には、その上下に、身体の正面側で着脱自在に連結できる長さ調節可能な上側ベルトと下側ベルトとを備え、当該上部開口部周囲にはジャケット紐挿通孔が設けられていて、ジャケット紐挿通孔にはジャケット絞り紐が挿通されており、当該上部開口部から身体の下肢を挿入して下部２箇所の下肢挿通部から左右の下肢をそれぞれ出し、左右の腕挿通部から身体の腕を出して着用し、上側ベルトと下側ベルトとの間に脇部空気収納袋を位置させて身体の正面側で上側ベルトと下側ベルトとを連結し、ジャケット絞り紐を着用者の首回りで引き絞ることによりジャケットが身体に装着固定される構造であることを特徴とする。
【００２０】
本発明の請求項１５に係る水面浮上用具は、上記請求項２〜１４のいずれか１項に記載の構成に加えて、前記ジャケットは、その胴部の正面側に収納用開閉部が設けられていることを特徴とする。
【００２１】
本発明の請求項１６に係る水面浮上用具は、上記請求項１〜１５のいずれか１項に記載の構成に加えて、周壁部と周壁部上端の上端閉塞部と周壁部下端の下端開口部とからなる袋状をなし、当該下端開口部にはその周囲に頭巾紐挿通孔が設けられていて、頭巾紐挿通孔には頭巾絞り紐が挿通されており、当該下端開口部に身体の頭部を入れて、身体の首回り部で頭巾絞り紐を引き絞ることにより、身体の頭部に装着される頭巾を備えていることを特徴とする。
【００２２】
本発明の請求項１７に係る水面浮上用具は、上記請求項１〜１６のいずれか１項に記載の構成に加えて、両端に開口部を有する長尺筒状体よりなり、その一端に錘を取り付け、他端に身体への装着のための鮫よけ連結具を備えてなる鮫忌避具を備えていることを特徴とする。
【００２３】
本発明の請求項１８に係る水面浮上用具は、上記請求項１４〜１７のいずれか１項に記載の構成に加えて、前記ジャケットにおける下肢挿通部に着脱可能な延長股下部を備えていることを特徴とする。
【００２４】
本発明の請求項１９に係る水面浮上用具は、上記請求項１４〜１８のいずれか１項に記載の構成に加えて、前記ジャケットにおける腕挿通部に着脱可能な延長袖部を備えていることを特徴とする。
【００２５】
上記のように構成したことにより、例えば津波警報が発せられた時点で、脇部空気収納袋用カバーにより覆い包まれた脇部空気収納袋に、例えば息を吹き込むことにより空気を注入し、脇部連結具を利用して身体の正面側で連結することにより、空気を注入した脇部空気収納袋を身体に装着する。そして、脇部空気収納袋を装着した状態でジャケットにより身体を覆う。
【００２６】
また、肩周り部空気収納袋用カバーにより覆い包まれた肩周り部空気収納袋に、例えば息を吹き込むことにより空気を注入し、空気を注入した肩周り部空気収納袋を身体の背中側の肩周りに背負って、肩周り部空気収納袋連結具を利用して身体の正面側で連結することにより身体の背中側の肩周りに装着する。
【００２７】
もちろん、脇部空気収納袋と肩周り部空気収納袋とを装着した状態でジャケットにより身体を覆ってもよい。
【００２８】
また、ジャケットの背中側上部に連設された肩周り部空気収納袋用カバーにより肩周り部空気収納袋が覆い包まれるように収納すると共に肩周り部空気収納袋内に空気を注入し、ジャケットの着用と共に肩周り部空気収納袋が装着できるようにしてもよい。
【００２９】
この状態であれば津波等の水難に遭遇しても、水面に浮かんでいることができる。また、肩周り部空気収納袋により身体の頭部を少し持ち上げた姿勢となるので安定した快適な状態となる。
【００３０】
そして、上記のように水面に浮かんでいる状態において、ジャケットにおける胴部正面側の前身頃に形成した収納用開閉部の内部に収納しておいた膝裏部空気収納袋用カバーに覆い包まれた膝裏部空気収納袋を取り出して、膝裏部空気収納袋に息を吹き込むことにより空気を注入し、膝裏連結具を利用して身体における両下肢の膝裏に水平方向に装着する。この状態になると、身体の胴部は両脇に装着した脇部空気収納袋により維持され、頭部は肩周り部空気収納袋により維持され、身体の下肢は膝裏部空気収納袋により維持されて、四方が各空気収納袋に取り囲まれで、あたかも筏上で枕をして仰臥しているような安定した状態になる。
【００３１】
上記の膝裏部空気収納袋を装着して水面に浮かんでいる状態において、ジャケットにおける収納用開閉部の内部に収納しておいた浮標用空気収納袋用カバーで覆い包まれた浮標用空気収納袋を取り出して、浮標用空気収納袋に吹き込みにより空気を注入し、これを身体の股間と膝裏部空気収納袋とで形成される三角状の隙間に垂直方向に立設すると共に浮標用空気収納袋の一方の端部に備えた浮標用連結具を、身体の背面側における脇部空気収納袋やジャケットの適宜箇所に取り付けることにより身体に装着する。このような状態になると、他方の端部に備えた標識旗及び点灯させた標識灯を高く掲げることができることとなり、水面上に漂流している遭難者の発見が容易になる。なお、浮標用空気収納袋は、標識旗用と標識灯用とが別々に立設できるように複数本を使用してもよい。
【００３２】
ジャケットは、その上部開口部から身体の下肢を挿入し、下部２箇所の下肢挿通部から左右の下肢をそれぞれ出すと共に左右の腕挿通部から身体の腕を出して着用する。その際、脇部空気収納袋及び肩周り部空気収納袋をジャケット内に収めながら前身頃及び後身頃を共に引き上げる。そして、ジャケットの上側ベルトと下側ベルトとの間に脇部空気収納袋を位置させて、上側ベルトと下側ベルトとを身体の正面側で連結し長さ調節をして脇部空気収納袋を身体に固定する。なお、ジャケットに肩周り部空気収納袋が装着されている場合には、脇部空気収納袋だけをジャケット内に収めながら前身頃及び後身頃を共に引き上げるだけで着用できる利点がある。その後、上部開口部のジャケット紐通し孔に挿通されているジャケット絞り紐を着用者の首回りで引き絞ると着用者の首回りで上部開口部が引き絞られてジャケットが着用者に装着されることになる。
【００３３】
この状態であれば、水中に投げ出されても水面に浮かんでいることができるので、ジャケットにおける収納用開閉部の内部に収納しておいた鮫忌避具を取り出し、鮫よけ連結具を身体に取り付けて、鮫忌避具を水中に放り出すと鮫忌避具が両端に開口部を有する筒状であり、一端に錘を有することにより、鮫忌避具が沈みながら自然に幅広となり、その内部に水が浸入してさらに沈んでいくことになる。
【００３４】
また、ジャケットにおける収納用開閉部の内部に収納しておいた頭巾を取り出して頭巾の下端開口部に身体の頭部を入れ、身体の首回り部で頭巾絞り紐を引き絞ることにより、身体の頭部に装着する。
【００３５】
さらに、ジャケットにおける収納用開閉部の内部に収納しておいた延長股下部及び延長袖部を取り出して身体に装着する。これらの延長股下部及び延長袖部は主として鮫よけのために装着する。
【００３６】
なお、ジャケットにおける収納用開閉部の内部には、種々の物品、例えば携帯電話、身分証明書、飲食料品、貴重品等を収納し、適宜利用できるようにしておいてもよい。
【発明の効果】
【００３７】
本発明に係る水面浮上用具は、津波や水難事故に遭遇するおそれがある場合に、当該水面浮上用具における脇部空気収納袋や肩周り部空気収納袋に空気を吹き込んで膨らませて、身体に装着すると、これらの空気収納袋により水面に安定して浮かんでいることができるので、漂流中でもある程度の期間は生命を維持することができ、また、漂流中に死亡することがあっても、水面での漂流状態が継続するため捜索隊などが発見し易く、その結果、行方不明者の数を短期間で激減させる効果がある。
【００３８】
また、本発明に係る水面浮上用具は、不使用時には各空気収納袋は、空気を注入しない状態であれば小さく折り畳んでコンパクトにできるので、他の装着具等と合わせた状態で嵩張らずに保管できる。
【００３９】
さらに、本発明者は、本発明品について種々の試験を行っており、例えば１日３０分程度、本発明品を利用して水面に浮遊している状態を定期的に継続していると、個人的な感想ではあるが、健康促進の効果があった。おそらく、ベッド上等で仰臥状態にあるよりも、外圧が一切かからない状態で水面にほぼ仰臥状態で浮遊している状態の方が、血流等の体液の流れが重力に影響されずにスムーズに体内を循環したことによるものと思われる。
【図面の簡単な説明】
【００４０】
【図１】本発明の実施例に係る脇部空気収納袋の上半部を示す正面図である。
【図２】本発明の実施例に係る脇部空気収納袋の下半部を示す正面図である。
【図３】図１におけるIII-III線端面図である。
【図４】本発明の実施例に係る脇部空気収納袋の蓋部を開けた状態を示す下半部省略正面図である。
【図５】図４におけるV-V線端面図である。
【図６】本発明の実施例に係る脇部空気収納袋の蓋部を閉じた状態を示す下半部省略正面図である。
【図７】本発明の実施例に係る脇部空気収納袋に空気を封入した状態を示す斜視図である。
【図８】本発明の実施例に係る脇部空気収納袋を身体に装着できるようにセットした状態（身体装着セット）を示す概略斜視図である。
【図９】図８に示す身体装着セットを脇部空気収納袋、脇部空気収納袋カバー及び脇部連結具に分解した説明図である。
【図１０】図９に示す脇部空気収納袋カバーであって、（ａ）は斜視図であり、（ｂ）は正面図であり、（ｃ）は側面図である。
【図１１】図９に示す脇部連結具の一部をなす距離間調節帯を輪奈状に連結した状態を示す斜視図である。
【図１２】図９に示す脇部空気収納袋を収納した脇部空気収納袋カバーに距離間調節帯を取り付ける手順を示す斜視図である。
【図１３】図９に示す脇部連結具の一部をなす脇部ベルト具であって、（ａ）はその連結部分を分離した状態を示す一部省略斜視図であり、（ｂ）は連結部分を連結した状態を示す一部省略斜視図である。
【図１４】図９に示す脇部空気収納袋を収納した脇部空気収納袋カバーに距離間調節帯を取り付けた後、脇部ベルト具を取り付ける手順を示す斜視図である。
【図１５】図８に示す脇部空気収納袋の身体装着セットを身体に装着した状態を示す概略説明図であり、（ａ）は正面図、（ｂ）は側面図、（ｃ）は背面図である。
【図１６】本発明の実施例にであって、身体装着セットを身体に装着した状態で着用するジャケットを正面側から見た斜視図である。
【図１７】本発明の実施例の肩周り部空気収納袋を示す図であって、（ａ）は空気を封入していない状態の肩周り部空気収納袋の正面図、（ｂ）は肩周り部空気収納袋カバーの斜視図である。
【図１８】図１７に示す肩周り部空気収納袋カバーに空気が封入された肩周り部空気収納袋を収納した状態を示す斜視図である。
【図１９】本発明の実施例のジャケットに肩周り部空気収納袋をセットした状態を示す一部省略斜視図である。
【図２０】図１９に示す肩周り部空気収納袋をセットしたジャケットを身体に着用した状態を示す概略斜視図である。
【図２１】図２０の着用状態を示す概略説明図であり、（ａ）は正面図、（ｂ）は側面図、（ｃ）は背面図である。
【図２２】図２０の着用状態で水面に浮かんでいる状態を示す概略説明図である。
【図２３】本発明の実施例であって、膝裏部空気収納袋と膝裏部空気収納袋用カバーとを分解した状態を示し、（ａ）は膝裏部空気収納袋であり、（ｂ）は膝裏連結具であり、（ｃ）は膝裏部空気収納袋用カバーである。
【図２４】図２３に示す膝裏部空気収納袋用カバー内において、膨らんだ膝裏部空気収納袋が収納され、膝裏連結具を取り付けた状態を示す斜視図である。
【図２５】図２３に示す膝裏連結具を利用して膝裏部空気収納袋用カバーに収納された膝裏部空気収納袋を身体に装着した状態を示す一部概略斜視図である。
【図２６】図２５に示す膝裏部空気収納袋を身体に装着した状態で水面に浮かんでいる状態を示す概略説明図である。
【図２７】本発明の実施例であって、浮標用空気収納袋と浮標用空気収納袋用カバーを分解した状態を示し、（ａ）は浮標用空気収納袋であり、（ｂ）は浮標用空気収納袋用カバーである。
【図２８】図２７に示す浮標用空気収納袋用カバーにおいて、膨らんだ浮標用空気収納袋が収納された状態を示す斜視図である。
【図２９】図２７に示す浮標用連結具を利用して浮標用空気収納袋用カバーに収納された浮標用空気収納袋を身体に装着した状態を示す一部概略斜視図である。
【図３０】図２９に示す浮標用空気収納袋を身体に装着した状態で水面に浮かんでいる状態を示す概略説明図である。
【図３１】本発明の実施例における頭巾の右側面図である。
【図３２】図３１に示す頭巾を身体頭部に装着して水面に浮かんでいる状態を示す概略斜視図である。
【図３３】図３２に示す頭巾を身体に装着した状態で水面に浮かんでいる状態を示す概略説明図である。
【図３４】本発明の実施例における鮫忌避具の正面図である。
【図３５】図３４に示す鮫忌避具の上部側を膨らませた状態の斜視図である。
【図３６】図３４に示す鮫忌避具の下部側を膨らませた状態の斜視図である。
【図３７】図３４に示す鮫忌避具を身体に装着して水面に浮かんだ状態を示す説明図である。
【図３８】本発明の実施例における延長股下部及び延長袖部のジャケットに対する配置構成を示す概略斜視図である。
【発明を実施するための形態】
【００４１】
本発明の好適な実施例を添付の図の従って詳細に説明する。
【実施例１】
【００４２】
図１及び図２において、Ａは本実施例の空気を収納する脇部空気収納袋であり、該脇部空気収納袋Ａは、袋本体１０と、一つの注入排出筒３０とから形成される。各図に示すように、袋本体１０は、プラスチックフィルム等よりなる表裏２枚のシート１０ａ，１０ｂをその四周において溶着することにより形成されている。すなわち、溶着部としては、上部溶着部１２ａ、左側溶着部１２ｂ、右側溶着部１２ｃ、底部溶着部１２ｄ，１２ｅがあり、いずれも線状に溶着されている。なお、袋本体１０は、上部溶着部１２ａより下の箇所をいうものとする。そして、この上部溶着部１２ａにおいては、表裏シート１０ａ，１０ｂが溶着されているが、上部溶着部１２ａの線上であっても、図１における中央部よりやや左の、空気が送通する空気送通箇所１４においては、表裏シート１０ａ，１０ｂは溶着されていない。
【００４３】
注入排出筒３０は同じくプラスチックフィルムよりなる扁平筒状体であり、内容物（空気）の注入と排出との双方を行う。特に注入は人が息を吹き込むことにより行うことが可能である。その下端３２ｂは、前記の上部溶着部１２ａすなわち空気送通箇所１４よりやや下方に位置している。この注入排出筒３０を構成する表裏シート３０ａ，３０ｂは、その両側部３２ｃ，３２ｄにおいて相互に溶着され、その上端３２ａ及び下端３２ｂが開口している。そして、この注入排出筒３０は袋本体１０に対して次のように取付けられる。
【００４４】
すなわち、空気送通箇所１４において、注入排出筒３０の図１における手前側（表側）のシート３０ａの外面は、袋本体１０を構成する手前側（表側）のシート１０ａの内面と溶着されている。また、注入排出筒３０を構成する背面側（裏側）のシート３０ｂの外面は、袋本体１０を構成する背面側（裏側）のシート１０ｂの内面に溶着されている。このようにして、注入排出筒３０が袋本体１０に溶着固定されるとともに、注入排出筒３０の下方に位置する空気送通箇所１４のみにおいて、袋本体１０は注入排出筒３０を通じて外部と連通しており、袋本体１０はその余の箇所においては全て密閉している。
【００４５】
表裏シート１０ａ，１０ｂは、図１に示すように、上部の溶着部１２ａより上方に伸びて延長部２０を形成している。この延長部の上端２０ａと左右両側部２０ｂ，２０ｃとにおいて、表裏シート１０ａ，１０ｂが溶着されている。但し、上端の溶着部２０ａは、図１における左側の箇所２２において表裏シート１０ａ，１０ｂは、図１及びその端面図である図３に示すように、溶着されていない。この非溶着箇所２２は、前記の上部溶着部１２ａにおける空気送通箇所１４と軸方向に一致した位置にある。そして、この非溶着箇所２２を扁平な筒状体の注入排出筒３０が通過している。この実施例においては、前記非溶着箇所２２において表裏シート１０ａ，１０ｂと注入排出筒３０とは溶着されていない。
【００４６】
この延長部２０の幅方向中央には、表裏シート１０ａ，１０ｂを貫通する連結用孔２４が形成されており、この連結用孔２４及び後述する脇部連結具Ｃ（Ｃ１，Ｃ２）を使用して、図８に示すように、２つの脇部空気収納袋Ａ，Ａ’（脇部空気収納袋Ａ’は脇部空気収納袋Ａと同一構造及び同一形態のもの）を連結することができるようになっている。
【００４７】
そして、図３に示すように、前面側のシート１０ａと注入排出筒３０との間の空間部は、注入排出筒３０を折り畳んだ状態で収容するためのポケット部２６を形成する。背面側のシート１０ｂの前記箇所２２においては、このポケット部２６を閉じる蓋２８が溶着されている。図１に示す状態において空気を袋本体１０の内部に注入した後、図４及び図５に示すように、注入排出筒３０をその軸方向に折畳んで、ポケット部２６の内部に収納する。また、蓋２８の先端である自由端２８ａには面ファスナーの雌部材２８ｃが設けられており、蓋２８を袋本体１０の側に折り曲げた際に雌部材２８ｃと対応する箇所に雄部材１０ｃが取り付けられている。そして、蓋２８を、ポケット部２６に収納した注入排出筒３０の折畳み体３０’を覆うようにして、その自由端２８ａを袋本体１０を構成する前面側の表シート１０ａのさらに前面側に折り曲げ、自由端２８ａに配した面ファスナーの雌部材２８ｃと袋本体１０を構成する前面側の表シート１０ａに配した面ファスナーの雄部材１０ｃとを係合させることにより、図６に示すように、ポケット部２６を蓋２８により閉塞する。このようにポケット部２６を蓋２８により閉塞すると、折畳み体３０’の折畳み状態が保持される。したがって、袋内部に収納された空気が外部へ漏出しようとしても、このように折り畳み状態が保持された注入排出筒３０は空気を通過させない。なお、図５及び図６においては、簡単のため、注入排出筒３０を構成する表裏シート３０ａ，３０ｂはそれぞれ１本の線で表わし、厚みは表していない。また、折畳み体３０’はその角部を円弧状に表しているが、実際には、折線状に屈曲していて、折り畳み体３０’自体は扁平な状態であり、屈曲部の角部により空気の通過をさらに遮断する。そして、注入排出筒３０をポケット部２６の内部に折り畳んだ状態において、蓋２８を閉塞する際には、これら雌雄部材２８ｃ，１０ｃが蓋の閉塞状態を保持する手段となる。
【００４８】
次に、図２により袋本体１０の底部１５について説明する。この底部１５はガゼット状に折畳まれている。すなわち、表裏シート１０ａ，１０ｂは、底部１５において、その対向面側に折返されており、折返し片１６ａ，１７ａは頂部１８において連続している。このようにして、表裏２枚の折重ね部１６，１７が形成される。いずれの折重ね部１６，１７にも斜め方向の溶着部１６ｂ，１７ｂが形成されており、袋内の空気がこの溶着部１６ｂ，１７ｂにより遮断されて底部の隅角部１８ａに到達しないように構成されている。このような底部構造を有しているので、内部に空気を収納した場合には、底部１５が広がり、図７の斜視図に示すような形態になる。本実施例では、袋本体１０が表裏２枚のシート１０ａ，１０ｂでできた扁平なものであって底部１５にマチを有するものを示したが、底部にマチを有さないもの、逆に、袋本体の側部にもマチを有するものもこの発明の範囲内である。
【００４９】
また、空気収納袋Ａは、図２に示すように、その袋底部１５の左右両側の偶角部１８ａそれぞれに孔１５ａが設けられている。この孔１５ａは、図８に示すように、２つの脇部空気収納袋Ａ，Ａ’を連結する際に、紐１５ｂを通して連結する。すなわち、２つの脇部空気収納袋Ａ，Ａ’を、前記した延長部２０側が対向するように配置し、底部１５側が離間するように配置して、離間している同士の一方の前記孔１５ａそれぞれに掛け渡すように紐１５ｂを通し、空気収納袋Ａ，Ａ’間の中央においてそれぞれの端部を束ね、固定及びスライド可能な端末部材１５ｃで連結する。また、離間している同士の他方の前記孔１５ａそれぞれにも掛け渡すように紐１５ｂを通し、空気収納袋Ａ，Ａ’間の中央においてそれぞれの端部を束ね、固定及びスライド可能な端末部材１５ｃで連結する。
【００５０】
図７は、脇部空気収納袋Ａに空気を注入し、注入排出筒３０を折り畳んで蓋２８により閉塞した状態を示す。この空気を注入した脇部空気収納袋Ａを、図８に示すように身体に装着できるようにセットすることについて以下に説明する。
【００５１】
なお、脇部空気収納袋について、その構成を上記のように具体的に説明したが、これに限られるものではなく、最低限としては６リットル程度の空気を封入できるものであればよく、形態もこれに限られるものではない。
【００５２】
図９は、図８に示す脇部空気収納袋Ａの身体装着セットを個々のパーツに分解したものであり、Ｂ，Ｂ’は脇部空気収納袋カバーであり、Ｃ（Ｃ１，Ｃ２）は脇部連結具である。
【００５３】
図１０は、前記脇部空気収納袋カバーＢ（脇部空気収納袋カバーＢ’も同一形状）の詳細を示し、脇部空気収納袋カバーＢは、脇部空気収納袋Ａを収納できる大きさであって、図１０（ａ）に示すように、一端側を開口させた開口部Ｂ１を有する矩形の袋状をなしており、他端側の両隅角部を開口させた隅角部開口部Ｂ２を有する形態をなしている。当該脇部空気収納袋カバーＢ，Ｂ’は、その内部に収納される脇部空気収納袋Ａ，Ａ’を保護し、身体に取り付けることを可能とする１つの要素であるため、やや厚手の合成樹脂シートで形成されるのが望ましい。
【００５４】
また、前記一端側である開口部Ｂ１側中央部にはカバー孔Ｂ３が形成されており、当該カバー孔Ｂ３は、脇部空気収納袋Ａにおける連結用孔２４と合致する位置に形成されており、脇部空気収納袋カバーＢにおけるカバー孔Ｂ３と脇部空気収納袋Ａにおける連結用孔２４とに、後述する脇部連結具Ｃにおける距離間調節帯Ｃ１が挿通される。
【００５５】
前記他端側の隅角部開口部Ｂ２は、空気を注入していない脇部空気収納袋Ａにおける偶角部１８ａの孔１５ａが露出して紐１５ｂを挿通及び取付を可能とし、脇部空気収納袋Ａに空気を注入した場合には、脇部空気収納袋Ａにおける偶角部１８ａが脇部空気収納袋カバーＢ内に没入し、取り付けられた紐１５ｂが出入する機能を果たし、図８に示すように、紐１５ｂの端部同士を連結することが可能となる。
【００５６】
さらに、図１０に示すように、脇部空気収納袋カバーＢにおける他端側の幅方向中央部には、脇部連結具Ｃにおける脇部ベルト具Ｃ２を挿通するベルト通しＢ４が形成されている。当該ベルト通しＢ４は、シートの一方の面に面ファスナーの雌雄の一方が形成されたシートを補強シートとして使用したものであって、シートの他方の面に粘着剤を塗布して離型紙を貼付したシート状物に、補強シートから離型紙に達して離型紙を切断するまで２本の平行な切部を形成し、当該平行な切部における向かい合う端点同士を結ぶ間は、補強シートは切断せずに離型紙のみを切断し、そして、切部で挟まれる箇所以外の離型紙を剥がして脇部空気収納袋カバーＢに粘着剤を塗布した面を貼着し、切部で挟まれる離型紙が残存している箇所を浮き上がらせてベルト通し孔Ｂ５としたものである。
【００５７】
そして、図９に示すように、上記の態様をなす脇部空気収納袋カバーＢ，Ｂ’に、その開口部Ｂ１から脇部空気収納袋Ａ，Ａ’を、矢符で示すように、脇部空気収納袋カバーＢ，Ｂ’におけるカバー孔Ｂ３と脇部空気収納袋Ａ，Ａ’における連結用孔２４とがそれぞれ一致する側になるように収納する。
【００５８】
図１１は、図９に示す脇部連結具Ｃを構成する距離間調節帯Ｃ１を輪奈状にしたものである。距離間調節帯Ｃ１は、細長帯状であってその表裏の一方の面ｃａに面ファスナーの雌雄の一方が形成され、他方の面ｃｂに面ファスナーの雌雄の他方が形成されたものであり、距離間調節帯Ｃ１の両端部を重ね合わせて連結することにより輪奈状となる。
【００５９】
そして、この距離間調節帯Ｃ１を、図１２に示すように、その一方の端部（図における左側端部）を脇部空気収納袋カバーＢにおける下側のカバー孔Ｂ３に挿入すると共に脇部空気収納袋Ａにおける連結用孔２４に挿入して、脇部空気収納袋カバーＢにおける上側のカバー孔Ｂ３から抜き出し、距離間調節帯Ｃ１における他方の端部（図における右側端部）を脇部空気収納袋カバーＢ’における下側のカバー孔Ｂ３に挿入すると共に脇部空気収納袋Ａ’における連結用孔２４に挿入して、脇部空気収納袋カバーＢ’における上側のカバー孔Ｂ３から引き出し、距離間調節帯Ｃ１の両端部を連結することにより、図８に示すように、脇部空気収納袋Ａ，Ａ’を連結することができると共に、両端部の連結位置を変更することにより、脇部空気収納袋Ａ，Ａ’の間の距離を装着者の身体の大きさに合わせて調節することができる。
【００６０】
図１３は、図９に示す脇部連結具Ｃを構成する長さ調節可能な脇部ベルトＣ２の両端部の連結構造を示し、ｃｃは雄側ベルトバックルであり、ｃｄは雌側ベルトバックルであって、図１３（ａ）は雄側ベルトバックルｃｃと雌側ベルトバックルｃｄとを分離した状態であり、図１３（ｂ）は雄側ベルトバックルｃｃと雌側ベルトバックルｃｄとを連結した状態を示す。雄側ベルトバックルｃｃを雌側ベルトバックルｃｄに連結するには、雄側ベルトバックルｃｃの先端を雌側ベルトバックルｃｄの開口部ｃｅに挿入して押し込む。また、雄側ベルトバックルｃｃを雌側ベルトバックルｃｄから分離するには、雄側ベルトバックルｃｃ先端のバネ部ｃｆの幅を押し縮めて、雌側ベルトバックルｃｄから引き抜く。
【００６１】
そして、この脇部ベルトＣ２を、図１４に示すように、距離間調節帯Ｃ１により連結した脇部空気収納袋Ａ，Ａ’内蔵の脇部空気収納袋カバーＢ，Ｂ’におけるカバー孔Ｂ３及び連結用孔２４及びベルト通し孔Ｂ５に挿通して連結し、図８に示す状態にする。すなわち、脇部ベルトＣ２の雌側ベルトバックルｃｄを備えた左側端部を、脇部空気収納袋Ａ内蔵の脇部空気収納袋カバーＢにおけるカバー孔Ｂ３及び連結用孔２４に、図において脇部空気収納袋カバーＢの背後側から挿通して、ベルト通しＢ４のベルト通し孔Ｂ５を通過させて左方に引き出す。また、、脇部ベルトＣ２の雄側ベルトバックルｃｃを備えた右側端部を、脇部空気収納袋Ａ’内蔵の脇部空気収納袋カバーＢ’におけるカバー孔Ｂ３及び連結用孔２４に、図において脇部空気収納袋カバーＢ’の背後側から挿通して、ベルト通しＢ４のベルト通し孔Ｂ５を通過させて右方に引き出す。
【００６２】
なお、脇部連結具Ｃ取付の後先のいずれでも差し支えはないが、図８に示すように、脇部空気収納袋カバーＢ，Ｂ’の隅角部開口部Ｂ２から覗いている空気収納袋Ａ，Ａ’の袋底部１５における孔１５ａに紐１５ｂを通し、端末部材１５ｃで連結可能としておく（図においては連結した状態を示している）。
【００６３】
図１５は、図８に示す脇部空気収納袋Ａ，Ａ’の身体装着セットを身体に装着した状態を示す説明図である。当該説明図に示すように、装着者Ｍの両脇部に脇部空気収納袋Ａ，Ａ’が位置するように装着者Ｍに装着し、装着者Ｍの前方において、脇部連結具Ｃにおける脇部ベルトＣ２の雄側ベルトバックルｃｃと雌側ベルトバックルｃｄとを連結して身体にフィットするように引き絞る。また、上下の紐１５ｂも、装着者Ｍの前方において、端末部材１５ｃに通して引き絞る。これにより、身体装着セットは確実に身体に固定されることになる。
【００６４】
次に、上記のように身体装着セットを身体に装着した状態において、その上に重ねて着用するジャケットＤ及び肩周り空気収納袋Ｅについて説明する。
【００６５】
図１６に示すジャケットＤは、筒状の胴部と、上部開口部Ｄ１と、下部左右を開口した下肢挿通部Ｄ２，Ｄ３と、胴部中央の左右を湾曲状に開口した腕挿通部Ｄ４，Ｄ５とを備えている。また、腕挿通部Ｄ４，Ｄ５の付近を周回するように配したジャケット上側ベルトＤ６と腰回り付近を周回するように配したジャケット下側ベルトＤ７とが備えられており、ジャケット上側ベルトＤ６とジャケット下側ベルトＤ７との間におけるジャケット前身頃中央縦方向に開口する収納用開閉部Ｄ８が形成されている。なお、ジャケット上側ベルトＤ６とジャケット下側ベルトＤ７が挿通され、支持されるベルト通しが数ヵ所設けられているが、当該ベルト通しは、前述した脇部空気収納袋カバーＢにおけるベルト通しＢ４と同様の構成のものである。
【００６６】
さらに、上部開口部Ｄ１には、適当間隔をおいてジャケット紐挿通用孔Ｄ９が形成されており、ジャケット紐挿通用孔Ｄ９にジャケット絞り紐Ｄ１０が挿通され、容易に絞り紐を絞ることができるように前身頃側に紐絞り具Ｄ１０’が端末部材として備えられている。当該ジャケットＤは、後述するように、身体に着用することにより、身体を保護すると共に、脇部空気収納袋Ａ，Ａ’及びこれらを収納した脇部空気収納袋カバーＢ，Ｂ’保護するものであるため、少し厚手の丈夫な合成樹脂シートで形成することが望ましい。また、当該ジャケットＤは、これを着用した状態で水面に浮かび、場合によっては漂流する状態となるので、鮫が嫌う色に着色したものが好ましい。また救助隊が発見しやすいように目立つ色に着色したものが好ましい。
【００６７】
さらにジャケットＤにおける上部開口部Ｄ１の背面側には、肩周り部空気収納袋Ｅが収納可能な取付カバーＤ１１がジャケット絞り紐Ｄ１０により取り付けられている。取付カバーＤ１１は、上方に捲り上げることが可能であり、取付カバーＤ１１の上端部に配した面ファスナーの一方Ｄ１２とジャケット内側の背面部に配した面ファスナーの他方Ｄ１３とを連結することにより筒状の形態にすることができ、その内部に肩周り部空気収納袋Ｅが収納できるようになっている。なお、取付カバーＤ１１はジャケットＤと同様の材質のシートを使用することが好ましい。
【００６８】
図１７に示す肩周り空気収納袋Ｅは、表裏２枚のシートを、空気の出入口となる一部を除いて全周が閉塞され、空気を封入すると円筒状になる形態のものである。Ｅ１は、空気の出入口であって、この空気の出入口Ｅ１は、前述した脇部空気収納袋Ａにおける注入排出筒３０と蓋２８と同様の注入排出筒Ｅ２と蓋Ｅ３の構成を有するものである。そして、注入排出筒Ｅ２から空気を吹き込むことにより肩周り空気収納袋Ｅを膨らませることができ、脇部空気収納袋Ａにおける場合と同様に、注入排出筒Ｅ２を畳み、面ファスナーを使用して蓋Ｅ３を閉じることにより肩周り空気収納袋Ｅ内の空気が外部に漏出しないようになっている。肩周り空気収納袋Ｅのサイズは、長さ５０〜７０ｃｍであり、筒状体を平たくした状態で幅２０〜３０ｃｍであるが、この範囲に限られるものではなく必要に応じて変更は可能である。
【００６９】
また、当該肩周り空気収納袋Ｅは、その左右両端に固定紐Ｅ４，Ｅ５が取り付けられており、図２０に示すように、身体に固定することができるようになっている。
【００７０】
さらに、当該肩周り空気収納袋Ｅは、図１７（ａ）に示すように、これを覆う筒状の肩周り部空気収納袋カバーＥ６が付属しており、図１８は、肩周り部空気収納袋カバーＥ６に肩周り空気収納袋Ｅを収納した状態を示す。もちろん、肩周り空気収納袋Ｅに空気を封入してから肩周り空気収納袋Ｅを肩周り部空気収納袋カバーＥ６に収納してもよいが、肩周り空気収納袋Ｅに空気を注入していない状態で肩周り空気収納袋Ｅを肩周り部空気収納袋カバーＥ６に収納し、その後で、空気を注入する方が簡便である。
【００７１】
図１９は、図１８に示す肩周り部空気収納袋カバーＥ６に覆われた肩周り部空気収納袋Ｅを、ジャケットＤの取付カバーＤ１１内に納めた状態を示す。すなわち、図１６に示す状態において、取付カバーＤ１１により、図１８に示す肩周り部空気収納袋カバーＥ６に覆われた肩周り部空気収納袋Ｅを上から覆い包むようにして、取付カバーＤ１１側の面ファスナーの一方Ｄ１２とジャケットＤ側の面ファスナーの他方Ｄ１３とを接合する。そうすると、図１９に示すように、取付カバーＤ１１に肩周り部空気収納袋Ｅに覆い包まれた状態で取り付けられる。そして、固定紐Ｅ４，Ｅ５は、ジャケットＤの内側を通って左右の腕挿通部Ｄ４，Ｄ５からジャケットＤの外側に出て、ジャケットＤの前身頃のところで、固定紐Ｅ４，Ｅ５の端部が揃えられて引き絞り具に通された状態となる。これにより、肩周り部空気収納袋Ｅは、固定紐Ｅ４，Ｅ５により、身体に固定された状態となり、身体から脱離することがない。
【００７２】
図２０は、ジャケットＤを着用した状態を示す。図１９に示す肩周り部空気収納袋ＥをジャケットＤに取り付けた状態において、ジャケットＤの上部開口部Ｄ１から両方の足を挿入して、下部左右の下肢挿通部Ｄ２，Ｄ３から左右の足をそれぞれ出し、左右の腕挿通部Ｄ４，Ｄ５から腕を出し、上側ベルトＤ６及び下側ベルトＤ７を前身頃の前でそれぞれを接合し、両ベルトを締め上げてジャケットＤを身体に固定する。この作業により、ジャケットＤが身体に着用できる。もちろんこのジャケットＤの着用状態において、ジャケットＤ内には、身体に取り付けられた脇部空気収納袋Ａ，Ａ’が収納されている。
【００７３】
そして、固定紐Ｅ４，Ｅ５を引き絞って肩周り部空気収納袋Ｅを身体に固定し、さらに、ジャケット絞り紐Ｄ１０を引き絞って、上部開口部Ｄ１を身体の首回りにおいて閉じることにより、ジャケットＤが身体に固定される。
【００７４】
図２１は、脇部空気収納袋Ａ，Ａ’を身体に装着し、肩周り部空気収納袋Ｅを備えたジャケットＤを着用した状態を示し、図２１（ａ）及び（ｃ）に示すように、使用者の両脇部に脇部空気収納袋Ａ，Ａ’が固定され、図２１（ａ）〜（ｃ）に示すように、使用者の正面側を除き、首から肩に掛けての周囲に肩周り部空気収納袋Ｅが配置固定される。この状態で津波に対する準備が完了する。この準備作業は、２つの脇部空気収納袋Ａ，Ａ’を膨らませた身体装着セットを作成して身体に装着し、肩周り部空気収納袋Ｅを膨らませて、ジャケットＤに取り付けて、ジャケットＤを着用するだけなので、短時間で完了する。
【００７５】
図２２は、図２１に示す状態において水面に浮かんだ状態を示す。この状態において、２つの脇部空気収納袋Ａ，Ａ’により身体の胴部は十分に浮かび上がり、身体の頭部は肩周り部空気収納袋Ｅにより浮き上がって、丁度、頭の下に枕を置いたような安定した状態となる。
【００７６】
上記の実施例においては、肩周り部空気収納袋ＥをジャケットＤに取り付けて使用する例を示したが、ジャケットＤに取付カバーＤ１１を設けず、肩周り部空気収納袋カバーＥ６に収納された肩周り部空気収納袋ＥをジャケットＤから分離独立させて身体に装着するようにしてもよい。
【００７７】
なお、図２２に示す状態でも、身体を浮上させること自体に問題はないが、さらに安定した状態で浮上するために、身体における脚部の膝裏に膝裏部空気収納袋Ｆを配置する。
【００７８】
図２３は、膝裏部空気収納袋Ｆ及びその附属品を示し、膝裏部空気収納袋Ｆは、表裏２枚のシートを、空気の出入口となる一部を除いて全周が閉塞され、空気を封入すると円筒状になる形態のものである。Ｆ１は、空気の出入口であって、この空気の出入口Ｆ１は、前述した脇部空気収納袋Ａにおける注入排出筒３０と蓋２８と同様の注入排出筒Ｆ２と蓋Ｆ３の構成を有するものである。そして、注入排出筒Ｆ２から空気を吹き込むことにより膝裏部空気収納袋Ｆを膨らませることができ、脇部空気収納袋Ａにおける場合と同様に、注入排出筒Ｆ２を畳み、面ファスナーを使用して蓋Ｆ３を閉じることにより膝裏部空気収納袋Ｆ内の空気が外部に漏出しないようになっている。
【００７９】
また、当該膝裏部空気収納袋Ｆは、その左右２箇所に紐通しＦ４が設けられていて、紐Ｆ５が挿通されている。当該紐通しＦ４は、前述した脇部空気収納袋カバーＢにおけるベルト通しＢ４と同様の構成のものである。膝裏部空気収納袋Ｆのサイズは、長さ１〜１．５ｍであり、筒状体を平たくした状態で幅２０〜３０ｃｍであるが、この範囲に限られるものではなく必要に応じて変更は可能である。
【００８０】
さらに、当該膝裏部空気収納袋Ｆには、膝裏部空気収納袋用カバーＦ６と膝裏連結紐Ｆ７が付属している。
【００８１】
膝裏部空気収納袋用カバーＦ６は、一方の端部が、その隅角部の開口部Ｆ６ａを除いた箇所を閉塞し、他方の端部が開口した筒状をなす。隅角部の開口部Ｆ６ａは水抜きの機能を果たす。また、前記膝裏部空気収納袋Ｆにおける２箇所の紐通しＦ４の位置に開口部Ｆ６ｂを設けて紐Ｆ５のそれぞれを引き出すことができるようになっている。
【００８２】
膝裏連結具Ｆ７は２本の紐Ｆ７ａと当該２本の紐を引き絞る端末部材Ｆ７ｂとから構成される。
【００８３】
なお、膝裏部空気収納袋用カバーＦ６は、膝裏部空気収納袋Ｆを保護するものであるからジャケットＤと同様に丈夫なシートにより構成する。また、膝裏部空気収納袋用カバーＦ６は、鮫が嫌う色に着色したものが好ましく、また救助隊が発見しやすいように目立つ色に着色したものが好ましい。
【００８４】
そして、図２４に示すように、膝裏部空気収納袋Ｆを膝裏部空気収納袋用カバーＦ６に収納し、前記した２本の紐Ｆ５それぞれを対応するそれぞれの開口部Ｆ６ｂから引き出し、２本の紐Ｆ５のそれぞれを膝裏連結具Ｆ７の２本の紐Ｆ７ａのそれぞれの遊離端部と結び合わせ、端末部材Ｆ７ｂで輪奈を形成して膝裏部空気収納袋Ｆを完成させる。
【００８５】
図２５は、上記の膝裏部空気収納袋用カバーＦ６に収納され、膝裏連結具Ｆ７の２本の紐Ｆ７ａからなる輪奈を形成して完成された膝裏部空気収納袋Ｆを身体の脚部、特に膝裏にあてがって装着した状態を示す。膝裏部空気収納袋Ｆは、両方の膝の裏に配置されることにより、膝裏部空気収納袋Ｆの上に両膝を載せた状態となる。
【００８６】
図２６は、図２５に示す状態において水面に浮かんだ状態を示す。もちろん、この状態においては、２つの脇部空気収納袋Ａ，Ａ’が身体に装着され、ジャケットＤの着用と共に肩周り部空気収納袋Ｅが装着された状態において、膝裏部空気収納袋Ｆを装着した状態となる。したがって、身体の周りを取り囲むように、身体の頭部は肩周り部空気収納袋Ｅによって支えられ、身体の胴部は脇部空気収納袋Ａ，Ａ’によって支えられ、身体の脚部は膝裏部空気収納袋Ｆによって支えられることになるため、これらの空気収納袋と合わせて身体があたかも筏のような状態となるので、極めて安定した状態で水面に浮かび上がることができる。
【００８７】
なお、ジャケットＤを着用した状態で津波に対する準備状態となるので、図２２に示すように、２つの脇部空気収納袋Ａ，Ａ’が身体に装着され、ジャケットＤの着用と共に肩周り部空気収納袋Ｅが装着された状態で水面に浮いている状態において、膝裏部空気収納袋Ｆを装着することになる。そのため、膝裏部空気収納袋Ｆに空気を封入していない扁平な状態で膝裏部空気収納袋用カバーＦ６に収納し、これを折り畳んでコンパクトな形態にしてジャケットＤの収納用開閉部Ｄ８内に収納しておき、図２２に示すように安定して水面に浮いている状態で、折り畳んだ状態の膝裏部空気収納袋ＦをジャケットＤの収納用開閉部Ｄ８から取り出して、図２４に示すように、膝裏部空気収納袋Ｆ内に空気を吹き込んで膝裏部空気収納袋Ｆを完成させる。もちろん、膝裏部空気収納袋Ｆに空気を封入して膝裏部空気収納袋用カバーＦ６に収納して完成させてもよいが、膝裏部空気収納袋Ｆに空気を注入していない状態で膝裏部空気収納袋用カバーＦ６に収納し、膝裏連結具Ｆ７を取り付けている状態で折り畳んでジャケットＤの収納用開閉部Ｄ８内に収納しておき、これをジャケットＤの収納用開閉部Ｄ８から取り出して、空気を注入する方が簡便である。
【００８８】
そして、図２５に示すように、身体の脚部を、その足先から膝裏連結具Ｆ７の２本の紐Ｆ７ａから構成される輪奈に通し、端末部材Ｆ７ｂにより紐Ｆ７ａを引き絞って身体の膝裏に装着する。
【００８９】
図２６の状態において、水面に安定して浮かび上がり、そのまま浮遊することはできるが、救援隊がさらに発見し易くするために、標識旗と標識灯とを備えた浮標用空気収納袋Ｇを身体に装着できるようにする。以下はその説明である。
【００９０】
図２７は、浮標用空気収納袋Ｇと、当該浮標用空気収納袋Ｇを収納するための浮標用空気収納袋用カバーＧ５を示す。浮標用空気収納袋Ｇは、表裏２枚のシートを、空気の出入口になる一部を除いて全周が閉塞され、空気を封入すると円筒状になる形態のものである。浮標用空気収納袋Ｇのサイズは、長さ１．５〜２．５ｍであり、円筒状を平たくした状態で幅２０〜３０ｃｍであるが、この範囲に限られるものではなく必要に応じて変更は可能である。
【００９１】
浮標用空気収納袋ＧにおけるＧ１は、空気の出入口であって、この空気の出入口Ｇ１は、前述した脇部空気収納袋Ａにおける注入排出筒３０と蓋２８と同様の注入排出筒Ｇ２と蓋Ｇ３の構成を有する。そして、注入排出筒Ｇ２から空気を吹き込むことにより浮標用空気収納袋Ｇを膨らませることができ、脇部空気収納袋Ａにおける場合と同様に、注入排出筒Ｇ２を畳み、面ファスナーを使用して蓋Ｇ３を閉じることにより浮標用空気収納袋Ｇ内の空気が外部に漏出しないようになる。また、当該浮標用空気収納袋Ｇは、空気の出入口Ｇ１側の左右２箇所に身体取付用紐Ｇ４が設けられている。
【００９２】
浮標用空気収納袋用カバーＧ５は、筒状をなしており、浮標用空気収納袋用カバーＧ５の上部側方に標識旗Ｇ６が取り付けられ、浮標用空気収納袋用カバーＧ５の頂部に標識灯Ｇ７が取り付けられてなるものである。標識旗Ｇ６はどのような形態でも、風でひらひらとなびくように軽量のものを使用する。また、浮標用空気収納袋用カバーＧ５は標識旗Ｇ６を含めて、日中において視覚的に目立ちやすい色に着色されていることが好ましい。また、鮫が嫌う色に着色されていてもよい。標識灯Ｇ７は、軽量で長時間点灯するＬＥＤライトが好ましく、また、日中に充電できる太陽電池内蔵型のＬＥＤライトがさらに好ましく、日中に充電し、夜間に点灯にするように構成すると長期間にわたって標識灯Ｇ７が機能することになる。
【００９３】
図２８には、浮標用空気収納袋用カバーＧ５に、膨らんだ浮標用空気収納袋Ｇが収納された状態を示しており、図２９はこれを身体に取り付けた状態を示している。通常は、しぼんで扁平な浮標用空気収納袋Ｇを浮標用空気収納袋用カバーＧ５に収納しておき、浮標用空気収納袋Ｇに空気を吹き込んで膨らませる。また、浮標用空気収納袋Ｇの身体取付作業は、図２６に示すように、膝裏部空気収納袋Ｆを身体に取り付けた安定状態で行う。そのため、しぼんで扁平な浮標用空気収納袋Ｇを浮標用空気収納袋用カバーＧ５に収納したものを折り畳んだコンパクトな形態にして、ジャケットＤの収納用開閉部Ｄ８内に収納しておき、図２６に示すように安定して水面に浮いている状態で、ジャケットＤの収納用開閉部Ｄ８から折り畳んだ浮標用空気収納袋Ｇを取り出し、浮標用空気収納袋Ｇ内に空気を吹き込んで、図２８に示す浮標用空気収納袋Ｇを完成させる。
【００９４】
浮標用空気収納袋Ｇの身体取付作業は、図２９に示すように、股の間と膝裏部空気収納袋Ｆとの三角領域に、図２８に示す完成した浮標用空気収納袋Ｇを挿入し、右側の身体取付紐Ｇ４を腰の背部右側から腹側に回し、左側の身体取付紐Ｇ４を腰の背部左側から腹側に回して、左右の身体取付紐Ｇ４の各端部を腹前で結ぶことにより完了する。
【００９５】
このようにして身体に取り付けることにより、水面で浮かんだ状態においては、浮標用空気収納袋Ｇの下端は身体に結着されていて錘となり、その上方には空気が封入されているため、図３０に示すように自然に直立した状態となる。そして、このように直立した状態となるため、浮標用空気収納袋Ｇを覆う浮標用空気収納袋用カバーＧ５の上部に取り付けた標識旗Ｇ６及び標識灯Ｇ７が高い位置になるので、目立ち、かつ、遠方から見付けやすくなる。
【００９６】
上記の実施例においては、浮標用空気収納袋用カバーＧ５に収納された浮標用空気収納袋Ｇ１本に標識旗Ｇ６と標識灯Ｇ７とを取り付けた例を説明したが、支持力があまり必要でない浮標用空気収納袋用カバーＧ５に収納された浮標用空気収納袋Ｇと、支持力が必要な浮標用空気収納袋用カバーＧ５に収納された浮標用空気収納袋Ｇとの２本を用意し、支持力があまり必要でない浮標用空気収納袋Ｇの方は標識旗Ｇ６用として使用し、支持力が必要な浮標用空気収納袋Ｇの方は標識灯Ｇ７用として使用もよい。
【００９７】
図３１に示すＨは身体の頭部から顔面を覆うようにして装着する頭巾（図の左側が身体の顔面側）であって、当該頭巾Ｈは、合成樹脂製等のシートをもって下端を開口し、上端を閉塞した袋状に構成されたものである。その下端開口部Ｈ１の周囲には、頭巾絞り紐Ｈ２を通すための頭巾紐挿通路Ｈ３が形成されていて、頭巾絞り紐Ｈ２が挿通されており、その端部（図において左側）には頭巾絞り紐Ｈ２を引き絞るための端末部材Ｈ４が取り付けられている。この端末部材Ｈ４は、これを身体の正面側に位置させて頭巾Ｈを下端開口部Ｈ１から身体の頭部にかぶせて装着する。なお、上端の閉塞部に襠を設けて広がりやすくすればかぶりやすくなり、襠による余裕スペースがあるためかぶった際に窮屈でなくなるので好ましい。
【００９８】
当該頭巾Ｈは、その周壁部Ｈ’には、その下部に身体の口部に相当する位置に呼吸用孔Ｈ６が適当間隔をおいて横方向の周囲に形成されており、その上方の頭巾Ｈの前側の身体の目に相当する位置に適当間隔をおいて横方向に目視用孔Ｈ７が形成されている。この呼吸用孔Ｈ６及び目視用孔Ｈ７は、聴音用としても機能する。なお、前記呼吸用孔Ｈ６及び目視用孔Ｈ７の配置構成は、これに限られるものではなく、例えば、呼吸用孔を前側のみに配置したり、目視用孔を周囲に配置してもよい。また、前記呼吸用孔Ｈ６及び目視用孔Ｈ７の大きさも必要に応じて大小変化させてもよい。
【００９９】
当該頭巾Ｈを構成するシートは、無色透明又は有色透明なシートであれば、かぶった状態で前方が目視しやすい利点があり、不透明なシートであれば、日光を遮断して日焼けを防ぐことができる。また、半透明のシートを使用したり、透明な箇所を部分的に配置したシートを使用してもよい。
【０１００】
当該頭巾Ｈは、これを下端開口部Ｈ１を、端末部材Ｈ４を身体の正面側にし、身体の頭部にかぶせて身体の首部まで引き下げて、図３２に示すように身体の頭部から顔面全体をスッポリ覆うようにかぶり、呼吸用孔Ｈ６及び目視用孔Ｈ７の位置を合わせ、端末部材Ｈ４により頭巾絞り紐Ｈ２を身体の首回りで引き絞って装着する。
【０１０１】
当該頭巾Ｈは、これを頭部に装着するのは、いつの時点でも差し支えないが、折り畳んだ状態でジャケットＤの収納用開閉部Ｄ８内に収納しておき、水面に浮かんでいる状態でジャケットＤの収納用開閉部Ｄ８から折り畳んだ浮標用空気収納袋Ｇを取り出して頭部に装着してもよい。
【０１０２】
図３３は、脇部空気収納袋Ａ、肩周り部空気収納袋Ｅを備えたジャケットＤ、膝裏部空気収納袋Ｆ、浮標用空気収納袋Ｇを内部に収納した浮標用空気収納袋用カバーＧ５を装着した状態において、さらに頭巾Ｈを装着した説明図である。このように安定して水面に浮かんだ状態において、救助隊に見付けやすい標識旗Ｇ６及び標識灯Ｇ７を装着した状態で、身体の頭部から顔面にかけて障害物等に対して保護することができると共に、降雨、波しぶきあるいは日光に対しても防護することができ、防寒及び防暑対策にもなる。
【０１０３】
図３４に示すＪは、鮫忌避具であって、上下が開口した長尺筒状の形態をなしている。当該鮫忌避具Ｊの上部開口部Ｊ１には、図３５に示すように、身体に装着するための鮫忌避具連結紐Ｊ２が取り付けられており、下部開口部Ｊ３には、図３６に示すように、その周囲に錘Ｊ４が取り付けられている。鮫忌避具Ｊのサイズは、長さが３〜５ｍで、筒状を平たくした場合の幅が６０〜８０ｃｍであるが、この範囲に限られるものではなく必要に応じて変更は可能である。また、当該鮫忌避具Ｊは、鮫が嫌う色に着色された合成樹脂シートを使用する。
【０１０４】
錘Ｊ４は、太めの金属線を合成樹脂で被覆したものであって、折曲可能でかつ保形性があるものを使用する。そのため、鮫忌避具Ｊを使用していない時は、錘Ｊ４を二つ折りにし、さらに二つ折りにして四つ折りとし、それと合わせて全体を幅方向に四つ折りにして折り畳んでコンパクトな状態にしておくことができるので、その状態において、ジャケットＤの収納用開閉部Ｄ８内に収納しておく。そして、水面に浮かんでいる状態においてジャケットＤの収納用開閉部Ｄ８から折り畳んだ鮫忌避具Ｊを取り出し、上部開口部Ｊ１に取り付けられた鮫忌避具連結紐Ｊ２を身体の適宜箇所に結びつけ、下部開口部Ｊ３の錘Ｊ４を四角状に開口して、水中に透過すると、錘Ｊ４ず水中に沈むにつれて下部開口部Ｊ３から鮫忌避具Ｊの内部に水が浸入すると共に鮫忌避具Ｊが幅方向に広がり、これが相俟って、図３６に示すように、下部開口部Ｊ３側が錘Ｊ４と共に水中深く沈み込む。
【０１０５】
この鮫忌避具Ｊは、水面に浮かんでいる人の身長の２〜３倍であり、幅が太いために鮫に対するアピール効果が発揮できて、鮫よけ効果が達成される。
【０１０６】
図３８は、前記のジャケットＤにおいて、左右の下肢挿通部Ｄ２，Ｄ３と腕挿通部Ｄ４，Ｄ５とから露出する身体の下肢及び腕を覆うための延長股下部Ｋ及び延長袖部Ｌを示す。延長股下部Ｋと延長袖部Ｌとはサイズを異にするだけでほぼ同一構成である。
【０１０７】
すなわち、当該延長股下部Ｋは、一方が開口し、他方が閉塞した筒状体よりなり、開口部Ｋ１にはジャケットＤの下側ベルトＤ７に結びつけることができる連結用紐Ｋ２が取り付けられている。
【０１０８】
また、閉塞部Ｋ３の少し上方の側壁に足露出用開口部Ｋ４が形成されており、先端部が開口されていないために、身体の足を露出する必要が生じたときにだけ足露出用開口部Ｋ４から足を出し、身体の足を露出する必要がないときは延長股下部Ｋ内に足を収めておくことができる。
【０１０９】
延長袖部Ｌは、一方が開口し、他方が閉塞した筒状体よりなり、開口部Ｌ１にはジャケットＤの上側ベルトＤ６に結びつけることができる連結用紐Ｌ２が取り付けられている。
【０１１０】
また、閉塞部Ｌ３の少し横方向に離れた側壁に手露出用開口部Ｌ４が形成されており、先端部が開口されていないために、身体の手を露出する必要が生じたときにだけ手露出用開口部Ｌ４から手を出し、身体の手を露出する必要がないときは延長袖部Ｌ内に手を収めておくができる。
【０１１１】
これら延長股下部Ｋ及び延長袖部Ｌは、その目的の一つとして、鮫よけがあるため、鮫が嫌う色に着色している。もちろん、露出する身体の下肢及び袖を保護することに作用する。また、これら延長股下部Ｋ及び延長袖部Ｌは、折り畳んだコンパクトな状態にしてジャケットＤの収納用開閉部Ｄ８内に収納しておき、水面に安定して浮かんでいる状態においてジャケットＤの収納用開閉部Ｄ８から取り出して使用する。
【０１１２】
また、図示を省略するが、本実施例に係る水面浮上用具は、これにＧＰＳ受信機（地球測位衛星からの送信信号を受信する受信機）及び当該ＧＰＳ受信機からの受信情報に基づく位置情報を発信する電波発信機を備えておくと、当該流体収納袋Ａを身体に装着しておくだけで、たとえ海上で漂流していても、その漂流位置が発見しやすくなるので、捜索隊などによる捜索活動が容易となる。
【０１１３】
以上、本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【０１１４】
Ａ、Ａ’……脇部空気収納袋
１０…………袋本体
１０ａ，１０ｂ………表裏２枚のシート
１０ｃ………面ファスナーの雄部材
１２ａ………上部溶着部
１２ｂ………左側溶着部
１２ｃ………右側溶着部
１２ｄ，１２ｅ………底部溶着部
１４…………空気送通箇所
１５…………底部
１５ａ………孔
１５ｂ………紐
１５ｃ………端末部材
１６，１７………折重ね部
１６ａ，１７ａ………折返し片
１６ｂ，１７ｂ………斜め方向の溶着部
１８…………頂部
１８ａ………底部の隅角部
２０…………延長部
２０ａ………延長部の上端
２０ｂ，２０ｃ………延長部の左右両側部
２２…………延長部の左側の非溶着箇所
２４…………連結用孔
２６…………ポケット部
２８…………蓋
２８ａ………蓋の自由端
２８ｃ………面ファスナーの雌部材
３０…………注入排出筒
３０’………折畳み体
３０ａ，３０ｂ………表裏シート
３２ａ………注入排出筒の上端
３２ｂ………注入排出筒の下端
３２ｃ，３２ｄ………注入排出筒の両側部
Ｂ……………脇部空気収納袋カバー
Ｂ１…………開口部
Ｂ２…………隅角部開口部
Ｂ３…………カバー孔
Ｂ４…………ベルト通し
Ｂ５…………ベルト通し孔
Ｃ……………脇部連結具
Ｃ１…………距離間調節帯
ｃａ…………面ファスナーの雌雄の一方の面
ｃｂ…………面ファスナーの雌雄の他方の面
Ｃ２…………脇部ベルト
ｃｃ…………雄側ベルトバックル
ｃｄ…………雌側ベルトバックル
ｃｅ…………雌側ベルトバックルの開口部
ｃｆ…………雄側ベルトバックルのバネ部
Ｄ……………ジャケット
Ｄ１…………上部開口部
Ｄ４，Ｄ５………腕挿通部
Ｄ２，Ｄ３………下肢挿通部
Ｄ６…………上側ベルト
Ｄ７…………下側ベルト
Ｄ８…………収納用開閉部
Ｄ９…………ジャケット紐挿通孔
Ｄ１０………ジャケット絞り紐
Ｄ１０’……紐絞り具
Ｄ１１………取付カバー
Ｄ１２………面ファスナーの一方
Ｄ１３………面ファスナーの他方
Ｅ……………肩周り部空気収納袋
Ｅ１…………空気の出入口
Ｅ２…………注入排出筒
Ｅ３…………蓋
Ｅ４，Ｅ５………固定紐
Ｅ６…………肩周り部空気収納袋カバー
Ｆ……………膝裏部空気収納袋
Ｆ１…………空気の出入口
Ｆ２…………注入排出筒
Ｆ３…………蓋
Ｆ４…………紐通し
Ｆ５…………紐
Ｆ６…………膝裏部空気収納袋用カバー
Ｆ６ａ………開口部
Ｆ６ｂ………開口部
Ｆ７…………膝裏連結具
Ｆ７ａ………紐
Ｆ７ｂ………端末部材
Ｇ……………浮標用空気収納袋
Ｇ１…………空気の出入口
Ｇ２…………注入排出筒
Ｇ３…………蓋
Ｇ４…………浮標用連結具（身体取付用紐）
Ｇ５…………浮標用空気収納袋用カバー
Ｇ６…………標識旗
Ｇ７…………標識灯
Ｈ……………頭巾
Ｈ’…………周壁部
Ｈ１…………下端開口部
Ｈ２…………頭巾絞り紐
Ｈ３…………頭巾紐挿通路
Ｈ４…………端末部材
Ｈ６…………呼吸用孔
Ｈ７…………目視用孔
Ｊ……………鮫忌避具
Ｊ１…………上部開口部
Ｊ２…………鮫忌避連結具
Ｊ３…………下部開口部
Ｊ４…………錘
Ｋ……………延長股下部
Ｋ１…………開口部
Ｋ２…………連結用紐
Ｋ３…………閉塞部
Ｋ４…………足露出用開口部
Ｌ……………延長袖部
Ｌ１…………開口部
Ｌ２…………連結用紐
Ｌ３…………閉塞部
Ｌ４…………手露出用開口部
【図１】
2019199142.tif 000003
【図２】
2019199142.tif 000004
【図３】
2019199142.tif 000005
【図４】
2019199142.tif 000006
【図５】
2019199142.tif 000007
【図６】
2019199142.tif 000008
【図７】
2019199142.tif 000009
【図８】
2019199142.tif 000010
【図９】
2019199142.tif 000011
【図１０】
2019199142.tif 000012
【図１１】
2019199142.tif 000013
【図１２】
2019199142.tif 000014
【図１３】
2019199142.tif 000015
【図１４】
2019199142.tif 000016
【図１５】
2019199142.tif 000017
【図１６】
2019199142.tif 000018
【図１７】
2019199142.tif 000019
【図１８】
2019199142.tif 000020
【図１９】
2019199142.tif 000021
【図２０】
2019199142.tif 000022
【図２１】
2019199142.tif 000023
【図２２】
2019199142.tif 000024
【図２３】
2019199142.tif 000025
【図２４】
2019199142.tif 000026
【図２５】
2019199142.tif 000027
【図２６】
2019199142.tif 000028
【図２７】
2019199142.tif 000029
【図２８】
2019199142.tif 000030
【図２９】
2019199142.tif 000031
【図３０】
2019199142.tif 000032
【図３１】
2019199142.tif 000033
【図３２】
2019199142.tif 000034
【図３３】
2019199142.tif 000035
【図３４】
2019199142.tif 000036
【図３５】
2019199142.tif 000037
【図３６】
2019199142.tif 000038
【図３７】
2019199142.tif 000039
【図３８】
2019199142.tif 000040